(57)【要約】【課題】デカールローラ近傍にさらに対策を講じてカールの矯正が保証される画像形成装置のロール紙給紙装置を提供することにある。【解決手段】電子写真装置である画像形成装置のロール紙給紙装置Ａにおいて、デカールローラ３近傍に、デカール用発熱体８を設置した。【選択図】        図２
2004352460.tif 000002
【特許請求の範囲】
【請求項１】
電子写真式画像形成装置のロール紙給紙装置であって、ロール紙から引き出された記録紙のカール方向とは逆方向に姿勢矯正するデカールローラを備えたものにおいて、該デカールローラ近傍に、デカール用発熱体を設置していることを特徴とする画像形成装置のロール紙給紙装置。
【請求項２】
前記デカールローラを中空ローラとし、該デカールローラ内部に発熱体を配置したことを特徴とする請求項１記載の画像形成装置のロール紙給紙装置。
【請求項３】
前記デカールローラを回転可能としたことを特徴とする請求項２記載の画像形成装置のロール紙給紙装置。
【発明の詳細な説明】
【０００１】
【発明の属する技術分野】
本発明は、ファクシミリ、ＭＦＰ、複写機、プリンタ等の電子写真式の画像形成装置に装備されるロール紙給紙装置に関するものである。
【０００２】
【従来の技術】
電子写真装置において記録材としてロール紙を用いた場合、ロール紙に形成されるカールはカット紙に比べきついため、ジャムや耳折れ等の搬送上の不具合や、画像擦れ等の画像品質上の不具合の原因となる。
従来の電子写真装置に使用されていたロール紙給紙装置では、記録紙カールを低減するために、ロール紙をセットする芯にトルクリミッタを用いたり、デカールローラを用いて対策を図っていた。
ところが、これらの方法を用いてもロール紙のカールは、完全には除去されず、保管条件の違いや生産工程のバラツキによって発生し得る強いカールによって、記録紙ジャムや画像擦れ等の問題が発生する。
また、従来のデカールローラは、固定されており、回転不可能であるため、記録紙とデカールローラとの接触面における傷または劣化に繋がるといった不具合を生じ、さらに、発熱体から発する熱エネルギが拡散してしまいロスが多いという問題も発生する。
【０００３】
【発明が解決しようとする課題】
図７は従来のピックアップローラ、デカールローラおよびロール紙の関係を示す概略図である。図７において、セットされたロール紙２から出てくる記録紙先端は、デカールローラ３の下を通り、ピックアップローラ５と加圧ローラ１２で構成されるニップの間を通り、搬送されていく。
この場合にロール方向にカールしている記録紙先端は、デカールローラ３によりカールを矯正される。しかしながら、ロール紙のカールは完全にはとれず、保管条件の違いや生産工程のバラツキによって発生し得る強いカールによって、記録紙ジャムや画像擦れ等の問題が発生する。
そこで本発明の目的は、上記の問題点を解決するために、デカールローラ近傍にさらに対策を講じてカールの矯正が保証される画像形成装置のロール紙給紙装置を提供することにある。
【０００４】
【課題を解決するための手段】
前記の課題を解決するために、請求項１記載の発明では、電子写真式画像形成装置のロール紙給紙装置であって、ロール紙から引き出された記録紙のカール方向とは逆方向に姿勢矯正するデカールローラを備えたものにおいて、該デカールローラ近傍に、デカール用発熱体を設置していることを特徴とする。
請求項２記載の発明では、前記デカールローラを中空ローラとし、内部に発熱体を備えたデカール機構を有する請求項１記載の画像形成装置のロール紙給紙装置を主要な特徴とする。
請求項３記載の発明では、前記デカールローラを回転可能とした請求項２記載の画像形成装置のロール紙給紙装置を主要な特徴とする。
【０００５】
【発明の実施の形態】
以下、図面により本発明の実施の形態を詳細に説明する。図１は本発明による画像形成装置のロール紙給紙装置の要部を説明する概略分解斜視図である。図１において、ロール紙給紙装置Ａは本発明の要部を説明するのに必要な構成要素を鳥瞰図的に示している。
ロール紙給紙装置Ａの矩形状のフレーム１の内部には記録紙（ここではロール紙、以下、ロール紙、と呼ぶ）２が図１において手前側に配置されている。これから奥に向かって、デカールローラ３がフレーム１の外側に配置されたカール矯正用レバー４の支持部分４ａ間で支持されている。デカールローラ３は、ロール紙から引き出された記録紙のカール癖方向とは逆方向に姿勢矯正する手段であり、回転自在、或いは回転不能な状態で支持されている。
カール矯正用レバー４は取り付け部分４ｂによってフレーム１の側部に取り付けられている。この取り付け部分４ｂの近傍で支持されデカールローラ３に平行にロール紙給紙装置Ａを横断するピックアップローラ５が設けられる。
このピックアップローラ５上にはカバー６に支持された加圧ローラ１２が配置され、フレーム１へのカバー６の取り付けによって適宜な圧力でピックアップローラ５と接触するようになされている。図１においてロール紙給紙装置Ａの他の種々の構成要素が示されているが、本発明に関する説明に力を注ぐためにそれらの説明は省略する。
ロール紙２から引き出された記録紙は図７の従来例の場合と略同様にデカールローラ３によってカール方向とは逆方向に矯正を受けてから、ピックアップローラ５と加圧ローラ１２との間のニップ部に給送される。
本発明の以下の実施形態は何れもデカールローラ３の外部、或いは内部に発熱体を配置してデカールローラ３を所定以上の温度に加熱し、この熱を利用してデカール力を高めるようにしている。
【０００６】
図２は本発明による画像形成装置のロール紙給紙装置の第１の実施の形態を示す部分概略斜視図である。図３は図２のロール紙給紙装置の概略部分断面図である。
図１ないし図３において、フレーム１内に配置されたデカールローラ３の近傍には、このデカールローラ３と平行に延びる発熱体８が配置されている。カールの付いたロール紙２は、発熱体８で暖められた上、デカールローラ３でコシが付けられ、デカールされる。
図４は本発明による画像形成装置のロール紙給紙装置の第２の実施の形態を示す部分概略斜視図である。図５は図４のロール紙給紙装置の概略部分断面図である。
図１、図４および図５において、デカールローラ３は中空筒体で成形されている。また、デカールローラ３は、カール矯正用レバー４にネジで固定されている。中空のデカールローラ３中には発熱体８が設置されている。
この発熱体８の端子部は曲げられており、樹脂成形されたカール矯正用レバー４に設置されている。発熱体８端子部には、ハーネス接続（詳細には図示せず）がされており、電気が供給される。
図６は図４のロール紙給紙装置の変形例をカール矯正用レバー近傍において示す部分断面図である。デカールローラ３は中空筒体として成形されている。このデカールローラ３端部には、玉軸受け９が設置されている。
この玉軸受け９は、Ｃリングにより固定されている。カール矯正用レバー４は、玉軸受け９を包む形状に成形されており、デカールローラ３のスラスト方向ずれを固定する役割となる。
デカールローラ３中には発熱体８が設置されている。発熱体８端子部は曲げられており、樹脂成形されたカール矯正用レバー４に設置されている。
【０００７】
【発明の効果】
以上説明したように、請求項１によれば、デカール部分に熱を当てることにより、記録紙のデカール力は現状の方法よりアップし、ロール紙の先端カールが低減でき、ロール紙ジャムや耳折れなどの発生率も下がり、製品の性能を挙げることが可能である。
また、ロール紙画像擦れなどの画像品質上の不具合や、カールによるスタック不良などの搬送品質上の不具合も低減することが可能でとなり、有効である。
請求項２によれば、ロール紙の先端カールが低減でき、ロール紙ジャムや耳折れなどの発生率も下がり、製品の性能をあげることが可能である。
また、ロール紙画像擦れなどの画像品質上の不具合や、カールによるスタック不良などの搬送品質上の不具合も低減することが可能であり、さらに、熱源の周りにデカールローラが存在するため、エネルギ損失も少なくてすむ。
請求項３によれば、ロール紙の先端カールが低減でき、ロール紙ジャムや耳折れなどの発生率も下がり、製品の性能を上げることが可能であり、またロール紙画像擦れなどの画像品質上の不具合や、カールによるスタック不良などの搬送品質上の不具合も低減することが可能である。
また、熱源の周りにデカールローラが存在するため、エネルギ損失も少なくてすみ、さらに、デカールローラが回転可能なため、ロール紙とデカールローラの摩擦が低減でき、ロール紙とデカールローラとの接触面の傷・劣化に繋がるといった不具合を低減することができる。
【図面の簡単な説明】
【図１】本発明による画像形成装置のロール紙給紙装置の要部を説明する概略分解斜視図である。
【図２】本発明による画像形成装置のロール紙給紙装置の第１の実施の形態を示す部分概略斜視図である。
【図３】図２のロール紙給紙装置の概略部分断面図である。
【図４】本発明による画像形成装置のロール紙給紙装置の第２の実施の形態を示す部分概略斜視図である。
【図５】図４のロール紙給紙装置の概略部分断面図である。
【図６】図４のロール紙給紙装置の変形例をカール矯正用レバー近傍において示す部分断面図である。
【図７】従来のピックアップローラ、デカールローラおよびロール紙の関係を示す概略図である。
【符号の説明】
Ａ  画像形成装置のロール紙給紙装置
３  デカールローラ
８  発熱体
【図１】
2004352460.tif 000003
【図２】
2004352460.tif 000004
【図３】
2004352460.tif 000005
【図４】
2004352460.tif 000006
【図５】
2004352460.tif 000007
【図６】
2004352460.tif 000008
【図７】
2004352460.tif 000009